(57)【特許請求の範囲】
【請求項１】
ケースと、
前記ケース内に回転可能に保持されるシャフトと、
一端部が前記ケースに固定され、他端部がシャフトに固定され、巻き込められたスプリングが巻き解く復元力により、前記ケースに対して前記シャフトに一方向の回転力を付与する前記スプリングと、
前記ケース内に封入され、前記ケースに対する前記シャフトの回転により剪断抵抗を発生させるための粘性流体とを備えるダンパー装置において、
前記ケースと前記シャフトとの間には、
前記一方向とは反対の他方向の前記シャフトの回転を許容し、前記シャフトを前記一方向に回転した際に、互いにかみ合うことで、所定角度毎に前記スプリングの回転力を受け止める少なくとも２個の爪部のいずれか一方をそれぞれに設けていることを特徴とするダンパー装置。
【請求項２】
前記ケースは、円筒形を成し、一端部を閉塞する底部と、他端部に開口する開口部とを有し、
前記シャフトには、前記ケースの前記開口部を閉塞する鍔部を有し、
前記２個の爪部は、
前記ケースの前記開口部と前記シャフトの前記鍔部との間にそれぞれ位置するとともに、
前記シャフトの軸方向に対向し、互いにかみ合うことで、前記鍔部が前記開口部より抜けるのを阻止する少なくとも２個の係止面のいずれか一方をそれぞれに設けていることを特徴とする請求項1に記載のダンパー装置。
【請求項３】
前記粘性流体には、グリスを使用していることを特徴とする請求項２に記載のダンパー装置。
【請求項４】
前記ケースは、開放面を有するハウジングに固定され、
前記シャフトは、自重により下方に開いて、前記ハウジングの前記開放面を開放する扉に固定され、
前記スプリングは、前記粘性流体によるトルクが前記扉の自重によるトルクを越えている場合には、前記扉が自重により下方に開く方向に前記回転力を付与するようにしていることを特徴とする請求項１〜３のいずれか１項に記載のダンパー装置。
【請求項５】
前記ケースは、開放面を有するハウジングに固定され、
前記シャフトは、自重により下方に開いて、前記ハウジングの前記開放面を開放する扉に固定され、
前記スプリングは、前記粘性流体によるトルクが前記扉の自重によるトルク未満である場合には、前記扉が閉じる方向に前記回転力を付与するようにしていることを特徴とする請求項１〜３のいずれか１項に記載のダンパー装置。
【発明の詳細な説明】
【０００１】
【発明の属する技術分野】
この発明は、ダンパー装置に関し、特にスプリングのばね力を調整することができるようにしたものである。
【０００２】
【従来の技術】
従来のダンパー装置は、例えば特開平７−２３８９７１号公報に記載されているように、次のパーツより構成されていた。
（１）ケーシング
（２）ダンパー軸
（３）ねじりコイルばね
（４）シリコンオイル
（５）キャップ
（６）Ｏリング
上記ダンパー軸とキャップとには、相対向する係合凸部がそれぞれ設けられていた。
【０００３】
そして、ダンパー軸を回すと、両係合凸部同士が互いに乗り越え、ねじりコイルばねが予備巻き状態で保持される。
なお、予備巻き可能なものとしては、実用新案登録第２５２１０５９号公報に「ケース本体と蓋の係合構造」が記載されている。
【０００４】
【発明が解決しようとする課題】
しかし、上記した従来のダンパー装置では、ねじりコイルばねの予備巻きが可能であったが、ねじりコイルばねのばね力の調整ができできないという第一の問題点があった。
また、従来のダンパー装置は、部品点数が多く、部品代や組み立て代が高く付くという第二の問題点があった。
【０００５】
そこで、各請求項にそれぞれ記載された各発明は、上記した従来の技術の有する第一、第二の問題点に鑑みてなされたものであり、その目的とするところは、次の点にある。
（請求項１）
すなわち、請求項１に記載の発明は、上記した従来の技術の有する第一の問題点に鑑みてなされたものであり、ばね力を調整することができるようにしたものである。
（請求項２）
請求項２に記載の発明は、上記した請求項１に記載の発明の目的に加え、次の点を目的とする。
【０００６】
すなわち、請求項２に記載の発明は、上記した従来の技術の有する第二の問題点に鑑みてなされたものであり、キャップを省くことができるようにしたものである。
（請求項３）
請求項３に記載の発明は、上記した請求項２に記載の発明の目的に加え、次の点を目的とする。
【０００７】
すなわち、請求項３に記載の発明は、上記した従来の技術の有する第二の問題点に鑑みてなされたものであり、シリコンオイルに代えてグリスを使用することで、Ｏリングを省くことができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、扉の自重が軽い場合にも、ダンパー効果を得ることができるようにしたものである。
（請求項５）
請求項５に記載の発明は、上記した請求項１〜３のいずれか１項に記載の発明の目的に加え、次の点を目的とする。
【０００９】
すなわち、請求項５に記載の発明は、扉の自重が重い場合にも、ダンパー効果を得ることができるようにしたものである。
【００１０】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００１１】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
請求項１に記載の発明は、次の点を特徴とする。
すなわち、ケース(40)とシャフト(50)との間には、例えば図１に示すように、少なくとも２個の爪部(140〜160)のいずれか一方をそれぞれに設けている。
上記２個の爪部(140〜160)は、例えば図９に示すように、一方向とは反対の他方向のシャフト(50)の回転を許容し、シャフト(50)を一方向に回転した際に、例えば図７、８に示すように、互いにかみ合うことで、所定角度（例えば１８０度）毎にスプリング(60)の回転力を受け止めるためのものである。
【００１３】
なお、上記所定角度は、１８０度に限らず、０度を超える１８０度未満であっても良い。
（請求項２）
請求項２に記載の発明は、上記した請求項１に記載の発明の特徴点に加え、次の３つの点を特徴とする。
【００１４】
第１に、ケース(40)は、例えば図３に示すように、円筒形を成している。
そして、ケース(40)は、例えば図４に示すように、一端部を閉塞する底部(91)と、他端部に開口する開口部(92)とを有する。
第２に、シャフト(50)には、例えば図３〜５に示すように、ケース(40)の開口部(92)を閉塞する鍔部(120)を有する。
【００１５】
第３に、２個の爪部(140〜160)は、例えば図１に示すように、ケース(40)の開口部(92)とシャフト(50)の鍔部(120)との間にそれぞれ位置する。
そして、２個の爪部(140〜160)は、例えば図１に示すように、少なくとも２個の係止面(142,152,162)のいずれか一方をそれぞれに設けている。
２個の係止面(142,152,162)は、シャフト(50)の軸方向に対向し、例えば図８に示すように、互いにかみ合うことで、鍔部(120)が開口部(92)より抜けるのを阻止するためのものである。
（請求項３）
請求項３に記載の発明は、上記した請求項２に記載の発明の特徴点に加え、次の点を特徴とする。
【００１６】
すなわち、粘性流体(80)には、グリスを使用している。
（請求項４）
請求項４に記載の発明は、上記した請求項１〜３のいずれか１項に記載の発明の特徴点に加え、次の３つの点を特徴とする。
第１に、ケース(40)は、例えば図２に示すように、開放面(21)を有するハウジング(20)に固定されている。
【００１７】
第２に、シャフト(50)は、例えば図２に示すように、自重により下方に開いて、ハウジング(20)の開放面(21)を開放する扉(30)に固定されている。
第３は、スプリング(60)は、例えば図１〜１４に示すように、粘性流体(80)によるトルクが扉(30)の自重によるトルクを越えている場合には、扉(30)が自重により下方に開く方向に回転力を付与するようにしている。
（請求項５）
請求項５に記載の発明は、上記した請求項１〜３のいずれか１項に記載の発明の特徴点に加え、次の３つの点を特徴とする。
【００１８】
第１に、ケース(40)は、例えば図１６に示すように、開放面(21)を有するハウジング(20)に固定されている。
第２に、シャフト(50)は、例えば図１６に示すように、自重により下方に開いて、ハウジング(20)の開放面(21)を開放する扉(30)に固定されている。
第３に、スプリング(70)は、例えば図１５〜２０に示すように、粘性流体(80)によるトルクが扉(30)の自重によるトルク未満である場合には、扉(30)が閉じる方向に回転力を付与するようにしている。
【００１９】
【発明の実施の形態】
（図面の説明）
図１〜２０は、本発明の実施の形態の一例を示すものである。
図１は、ケースとシャフトとの一部分解斜視図、図２はダンパー装置の取付状態を示す一部断面図、図３はダンパー装置の分解斜視図、図４はダンパー装置の分解断面図、図５はダンパー装置の断面図、図６はダンパー装置の側面図、図７はダンパー装置の断面図、図８は図１に対応し、ケースとシャフトとの一部斜視図、図９は図７に対応し、シャフトを回転した状態を示す断面図をそれぞれ示すものである。
【００２０】
図１０〜１４は、第１のスプリングを使用例をそれぞれ示すものである。図１０はダンパー装置の斜視図、図１１は図２に対応し、図１０に示すダンパー装置の取付状態を示す断面図、図１２は図１０に対応し、スプリングの仮巻き状態を示す斜視図、図１３は図１０に対応し、ダンパー効果の作動状態を示す斜視図、図１４は図２に対応し、図１３に示すダンパー装置の取付状態を示す断面図をそれぞれ示すものである。
【００２１】
図１５〜２０は、第２のスプリングを使用例をそれぞれ示すものである。図１５はスプリングの巻き込み状態を示すダンパー装置の斜視図、図１６は図１５に示すダンパー装置の取付状態を示す断面図、図１７は図１５に対応し、スプリングのばね力のフリー状態を示す斜視図、図１８は図１６に対応し、図１７に示すダンパー装置の取付状態を示す断面図、図１９は図１５に対応し、ダンパー効果の作動状態を示す斜視図、図２０は図１６に対応し、図１９に示すダンパー装置の取付状態を示す断面図をそれぞれ示すものである。
（ダンパー装置10）
図中、10は、ダンパー装置を示す。
【００２２】
上記ダンパー装置10は、図２に示すように、例えばテレビのスイッチ類が収納されたハウジング20と、その開放面21を開閉する扉30との間に取り付けられる。そして、扉30が、その自重で下方に倒れて開く際に、ダンパー効果を働かせ、扉30が勢い良く開くのを防止している。
上記ダンパー装置10は、図３〜５に示すように、大別すると、次のパーツより構成されている。
【００２３】
（１）ケース40
（２）シャフト50
（３）スプリング60,70
（４）粘性流体80（図５参照）
（ケース40）
ケース40は、図示しないが、ハウジング20に固定され、適度な弾性と剛性とを有する、例えばＡＢＳ等の合成樹脂で一体成形されている。
【００２４】
ケース40は、図３、４に示すように、大別すると、次の各部を有する。
（１）筒状部90
筒状部90は、図３、４に示すように、円筒形を成し、その一端部を閉塞する底部91と、他端部に開口する開口部92とを有する。
上記底部91には、図４に示すように、スプリング60,70の一端部61,71を差し込む隙間を保って一対の係止片93,93が突出している。そして、両係止片93の間隔内に、図５に示すように、スプリング60,70の一端部61,71を差し込むことで、スプリング60,70を回転不能に保持する。
【００２５】
（２）取付部100
取付部100は、図３、４に示すように、筒状部90の外周から突出した一対のアーム101,101を備えている。そして、両アーム101を、樹脂の弾性を利用して、図示しないが、ハウジング20の取付穴にはめ込んで、ハウジング20に対してケース40を固定する。
（シャフト50）
シャフト50は、図示しないが、扉30に固定され、適度な弾性と剛性とを有する、例えばＡＢＳ等の合成樹脂で一体成形されている。
【００２６】
シャフト50は、図３、４に示すように、大別すると、次の各部を有する。
（１）シャフト本体110
シャフト本体110は、図３、４に示すように、円筒形を成し、ケース40の筒状部90の内径より一回り小さい外形を有する。
シャフト本体110は、図４に示すように、一端部が開口した中空部111を有する。
【００２７】
上記中空部111の閉塞された底には、図４に示すように、スプリング60,70の他端部62,72を差し込み可能なスリット112を設けている。そして、スリット112内に、図５に示すように、スプリング60,70の他端部62,72を差し込むことで、スプリング60,70を回転不能に保持する。
また、シャフト本体110の周囲には、図３〜５に示すように、内外に貫通した複数の貫通孔113,114を設けている。
【００２８】
上記貫通孔113,114のうち、一方の貫通孔113は、図３〜５に示すように、シャフト本体110の長さのほぼ中央に位置している。そして、貫通孔113,114のうち、他方の貫通孔114は、後述する鍔部120側に位置している。各貫通孔113,114は、シャフト本体110の直径方向に対向している。
（２）鍔部120
鍔部120は、図３、４に示すように、シャフト50の長さの途中に位置し、シャフト本体110の外周より環状に突出している。
【００２９】
具体的には、鍔部120は、図３、４に示すように、シャフト本体110に隣接し、環状にくびれたくびれ部121と、くびれ部121より太くなった基部122と、基部122より環状に張り出した張出部123とより構成されている。
上記基部122の外径は、図３〜５に示すように、筒状部90の開口部92の内径にほぼ等しく設定されている。
【００３０】
張出部123の外径は、図３〜５に示すように、筒状部90の外径にほぼ等しく設定されている。
（３）突軸130
突軸130は、図３、４に示すように、張出部123の中央から突出し、断面非円形を成している。そして、突軸130は、図示しないが、扉30に固定され、扉30は、ハウジング20に固定されたケース40に対して、シャフト50と一体的に回転する。
（スプリング60,70）
スプリング60,70は、図３に示すように、巻回方向が異なる二種類のものが使用できる。
【００３１】
両スプリング60,70の一方の第一のスプリング60は、左巻きで、両端部61,62を平行に位置させている。
これに対し、他方の第二のスプリング70は、右巻きで、両端部71,72を直交する向きに位置させている。
第１、第２のスプリング60,70の各端部61,62,71,72は、図５に示すように、ケース40の両係止片93の間隔内と、シャフト50のスリット112とにそれぞれ差し込む。
（粘性流体80）
粘性流体80には、例えばグリスを使用する。
（爪部140,150,160）
ケース40とシャフト50との間には、図１に示すように、爪部140,150,160をそれぞれに設けている。
【００３２】
具体的には、ケース40の開口部92には、図１、７に示すように、相対向して半径方向内向きに突出する２個の爪部140,150を設けている。
２個の爪部140,150は、図７に示すように、開口部92より見ると、断面が略台形形を成している。
具体的には、爪部140,150は、図１、７に示すように、円周方向に傾斜した斜面141,151と、各斜面141,151の反対側に位置し、各斜面141,151と逆向きに少し傾斜した係止面142,152とをそれぞれ備えている。
【００３３】
２個の爪部140,150は、図１、７に示すように、１８０度離れ、互いに異なる形状を成している。
すなわち、２個の爪部140,150の一方、図１において手間側に見える爪部140の係止面142は、筒状部90の全長方向に対して逆テーパー状を成し、シャフト50がケース40の開口部92から抜けるのを阻止している。
【００３４】
これに対し、シャフト50の基部122には、図１，７に示すように、半径方向外向きに突出する２個の爪部160,160を設け、両爪部160は、１８０度離れ、対称な形状を成している。
上記各爪部160は、図１，７に示すように、開口部92より見ると、断面が略平行四辺形を成し、円周方向に傾斜した斜面161と、各斜面161の反対側に位置し、各斜面161とは逆向きに少し傾斜した係止面162とをそれぞれ備えている。
【００３５】
上記係止面162は、図１，７に示すように、爪部140の係止面142に対向し、シャフト50の軸方向に対して逆テーパー状を成している。
（第１のスプリング60の使用例）
第１のスプリング60の使用例を、図２、図１０〜１４を用いて説明する。
まず、図１０に矢印で示したように、シャフト50をケース40に対して１８０度回転して、第１のスプリング60を１８０度分仮巻きする。
【００３６】
このとき、図９に示すように、シャフト50の爪部160の斜面161が、ケース40の爪部140,150の斜面141,151に当接する。ここで、シャフト50を更に強く回すと、ケース40の爪部140,150がシャフト50の爪部160に押されて、ケース40の開口部92が拡径する。
このため、シャフト50の爪部160が、図９に示すように、ケース40の爪部140,150を乗り越えながら回転する。
【００３７】
そして、シャフト50を１８０度回転すると、図７、８に示すように、シャフト50の爪部160の係止面162が、ケース40の爪部140,150の係止面142,152とかみ合うことで、１８０度巻き上げられた第１のスプリング60のばね力を受け止める。
第１のスプリング60を１８０度仮巻きした状態で取り付けると、そのばね力が、図１１に矢印で示したように、扉30を開く方向に作用する。
【００３８】
その後、扉30を、図２に示すように、閉じると、シャフト50が、図１２に示すように、ケース40に対して９０度回転される。
このため、第１のスプリング60は、１８０度に、９０度を加えた２７０度分、巻き込まれたこととなり、このばね力が、図２に矢印で示したように、扉30を開く方向に作用する。
【００３９】
扉30は、図示しないが、ラッチ等（図示せず）により、図２に示す閉位置にロックされる。
その後、ロックが解除されると、図１４に示すように、扉30は、その自重と、第１のスプリング60のばね力とにより下方に倒れて開く。
このとき、粘性流体80の剪断抵抗により、ダンパー効果が働き、扉30は、静粛に且つゆっくりと開く。
【００４０】
同時に、扉30が開くことで、シャフト50が、図１３に矢印で示したように、ケース40に対して９０度逆転する。このため、第１のスプリング60が巻き解かれ、ばね力が９０度分だけ放出される。
第１のスプリング60のばね力は、扉30を開く方向に作用するので、粘性流体80によるトルクが扉30の自重によるトルクを越えている場合、すなわち扉30が軽い場合に好適である。
（第２のスプリング70の使用例）
第２のスプリング70の使用例を、図１５〜２０を用いて説明する。
【００４１】
まず、図１５に矢印で示したように、シャフト50をケース40に対して９０度回転して、第２のスプリング70を９０度分巻き込む。
第２のスプリング70を９０度巻き込んだ状態で取り付けると、そのばね力が、図１６に矢印で示したように、扉30を閉じる方向に作用する。
その後、扉30を、図１８に示すように、閉じると、シャフト50が、図１７に示すように、ケース40に対して９０度逆転される。
【００４２】
シャフト50が逆転すると、第２のスプリング70が巻き解け、そのばね力がフリーとなる。
扉30は、図示しないが、ラッチ等（図示せず）により、図１８に示す閉位置にロックされる。
その後、ロックが解除されると、図２０に示すように、扉30は、その自重により下方に倒れて開く。
【００４３】
このとき、粘性流体80の剪断抵抗により、ダンパー効果が働き、扉30は、静粛に且つゆっくりと開く。
同時に、扉30が開くことで、シャフト50が、図１９に矢印で示したように、ケース40に対して９０度回転し、第２のスプリング70が次第に巻き込まれ、ばねトルクが発生し、扉30は、一層、静粛に且つゆっくりと開く。
【００４４】
第２のスプリング70のばね力は、扉30を閉じる方向に作用するので、粘性流体80によるトルクが扉30の自重によるトルク未満である場合、すなわち扉30が重い場合に好適である。
【００４５】
【発明の効果】
本発明は、以上のように構成されているので、以下に記載されるような効果を奏する。
（請求項１）
請求項１に記載の発明によれば、次のような効果を奏する。
【００４６】
すなわち、請求項１に記載の発明によれば、ばね力を調整することができる。（請求項２）
請求項２に記載の発明によれば、上記した請求項１に記載の発明の効果に加え、次のような効果を奏する。
すなわち、請求項２に記載の発明によれば、キャップを省くことができる。
（請求項３）
請求項３に記載の発明によれば、上記した請求項２に記載の発明の効果に加え、次のような効果を奏する。
【００４７】
すなわち、請求項３に記載の発明によれば、シリコンオイルに代えてグリスを使用することで、Ｏリングを省くことができる。
（請求項４）
請求項４に記載の発明によれば、上記した請求項１〜３のいずれか１項に記載の発明の効果に加え、次のような効果を奏する。
【００４８】
すなわち、請求項４に記載の発明によれば、扉の自重が軽い場合にも、ダンパー効果を得ることができる。
（請求項５）
請求項５に記載の発明によれば、上記した請求項１〜３のいずれか１項に記載の発明の効果に加え、次のような効果を奏する。
【００４９】
すなわち、請求項５に記載の発明によれば、扉の自重が重い場合にも、ダンパー効果を得ることができる。
【図面の簡単な説明】
【図１】ケースとシャフトとの一部分解斜視図である。
【図２】ダンパー装置の取付状態を示す一部断面図である。
【図３】ダンパー装置の分解斜視図である。
【図４】ダンパー装置の分解断面図である。
【図５】ダンパー装置の断面図である。
【図６】ダンパー装置の側面図である。
【図７】ダンパー装置の断面図である。
【図８】図１に対応し、ケースとシャフトとの一部斜視図である。
【図９】図７に対応し、シャフトを回転した状態を示す断面図である。
【図１０】第１のスプリングを使用例を示し、同図はダンパー装置の斜視図である。
【図１１】図２に対応し、図１０に示すダンパー装置の取付状態を示す断面図である。
【図１２】図１０に対応し、スプリングの仮巻き状態を示す斜視図である。
【図１３】図１０に対応し、ダンパー効果の作動状態を示す斜視図である。
【図１４】図２に対応し、図１３に示すダンパー装置の取付状態を示す断面図である。
【図１５】第２のスプリングを使用例を示し、同図はスプリングの巻き込み状態を示すダンパー装置の斜視図である。
【図１６】図１５に示すダンパー装置の取付状態を示す断面図である。
【図１７】図１５に対応し、スプリングのばね力のフリー状態を示す斜視図である。
【図１８】図１６に対応し、図１７に示すダンパー装置の取付状態を示す断面図である。
【図１９】図１５に対応し、ダンパー効果の作動状態を示す斜視図である。
【図２０】図１６に対応し、図１９に示すダンパー装置の取付状態を示す断面図である。
【符号の説明】
10  ダンパー装置      20  ハウジング
21  開放面            30  扉
40  ケース            50  シャフト
60,70 スプリング     61,62,71,72  端部
80  粘性流体          90  筒状部
91  底部              92  開口部
93  係止片           100  取付部
101  アーム           110  シャフト本体
111  中空部           112  スリット
113,114  貫通孔       120  鍔部
121  くびれ部         122  基部
123  張出部           130  突軸
140,150,160  爪部     141,151,161  斜面
142,152,162  係止面
【図１】
0004005718.tif 000002
【図２】
0004005718.tif 000003
【図３】
0004005718.tif 000004
【図４】
0004005718.tif 000005
【図５】
0004005718.tif 000006
【図６】
0004005718.tif 000007
【図７】
0004005718.tif 000008
【図８】
0004005718.tif 000009
【図９】
0004005718.tif 000010
【図１０】
0004005718.tif 000011
【図１１】
0004005718.tif 000012
【図１２】
0004005718.tif 000013
【図１３】
0004005718.tif 000014
【図１４】
0004005718.tif 000015
【図１５】
0004005718.tif 000016
【図１６】
0004005718.tif 000017
【図１７】
0004005718.tif 000018
【図１８】
0004005718.tif 000019
【図１９】
0004005718.tif 000020
【図２０】
0004005718.tif 000021